(57)【要約】  【課題】冷却ユニット１個に対して２個の冷却器を並列に接続した場合、冷蔵室の運転を行うと冷凍室冷却器の圧力が上昇して冷凍室が鈍冷となる。また循環ファンの風量を落とした場合、投入された食品の温度が下がるのに時間がかかってしまう。また冷却器、冷却ユニットの交換が困難である。これらの課題を解決することのできる冷蔵庫を提供する。  【解決手段】冷凍室１内に冷蔵室２からの空気と冷凍室１の空気を熱交換させるためのチャンバー８を設け、冷気導入ファン１０にて冷蔵室２に冷気を送り込んで冷却を行うため簡素に構成可能であり、市場におけるメンテナンスや故障時の部品交換が容易である。また冷蔵室２に冷却器を持たないため、冷蔵室２の状況に対して冷却サイクルが大きく影響を受ける事無く冷蔵、冷凍室をバランス良く同時に冷却する事が出来る。【選択図】図１
2009210181.tif 000002
【特許請求の範囲】
【請求項１】
上部に冷凍室、下部に冷蔵室を有し、前記冷凍室と前記冷蔵室を区画する断熱区画壁に貫通口を備え、前記一方の貫通口には前記冷凍室内に備えた冷凍室攪拌ファンと前記冷蔵室内に備えた冷蔵室攪拌ファンとを連通するダクトＣが構成され、他方の貫通口には前記ダクトＣと連通するダクトＢを配置し、前記ダクトＢの内部に前記冷蔵室の空気を吸込む冷気導入ファンを備え、前記冷蔵室が設定温度より高い場合は、前記冷気導入ファンを回転させて冷蔵室空気を前記チャンバー内に送り込み、熱交換を行った冷気を前記冷蔵室に戻して前記冷蔵室の冷気を攪拌しながら行ない、前記冷蔵室が設定温度よりも低い場合、前記冷蔵室攪拌ファンを回転させることを特徴とする冷蔵庫。
【発明の詳細な説明】
【技術分野】
【０００１】
本発明は冷蔵庫に関するものである。
【背景技術】
【０００２】
従来この種の電気冷凍冷蔵庫は冷凍室、冷蔵室それぞれ個別の冷媒配管が接続された冷却器を用いて冷却する特許文献１のものがある。
【０００３】
図２は特許文献１に記載された従来の電気冷凍冷蔵庫を示すものである。
【０００４】
独立した冷凍室１、冷蔵室２を備えた冷凍冷蔵庫本体３と、冷凍室１内を攪拌させるための冷凍室攪拌ファン５と、冷蔵室２内を攪拌させるための冷蔵室攪拌ファン６と、冷凍室１内に設けられた冷凍室専用冷却器１４と、冷蔵室２内に設けられた冷蔵室専用冷却器１５と、圧縮機、凝縮器、冷媒配管、その他冷凍サイクルの機能部品を収納した冷却ユニット１６と、冷蔵室専用冷却器１４に冷媒を導くためのバルブ１７から構成されている。
【０００５】
以上のように構成された電気冷凍冷蔵庫について、以下その動作を説明する。
【０００６】
冷却ユニット１６に対して冷凍室専用冷却器１４、冷蔵室専用冷却器１５がそれぞれ並列に接続されており、冷凍室１を冷却する場合はバルブ１７を閉めて冷却ユニット１６を動作させて冷凍室専用冷却器１４に冷媒を流して冷凍室１を冷却する。
【０００７】
冷蔵室２を冷却する場合はバルブ１７を開けて冷却ユニット１６を動作させて冷蔵室専用冷却器１５と冷凍室専用冷却器１４に冷媒を流して冷蔵室２と冷凍室１を冷却する。
【０００８】
冷凍室攪拌ファン５は連続運転され、冷蔵室攪拌ファン６はバルブ１７開時に連続運転、閉時に断続運転等で風量を落としている。
【特許文献１】特開平１０−１９４００号公報
【発明の開示】
【発明が解決しようとする課題】
【０００９】
しかしながら、上記従来の構成では、冷却ユニット１個に対して２個の冷却器を並列に接続しているため冷蔵室の運転を長時間行うと冷凍室冷却器の圧力が上昇して冷凍室が鈍冷となってしまう。また冷却ユニット停止時、冷蔵室冷却器にも温度の高い冷媒が流れ込むため、冷却ユニット停止中の庫内温度上昇が早くなる。またバルブ閉時、循環ファンの風量を落として庫内温度の上昇を遅くした場合、温度の高い食品を少量投入された時に風量低下により食品の温度が下がるのに時間がかかってしまう。また市場における故障において冷却器、冷却ユニットの交換を行なう場合溶接が必要となり非常に困難という課題を有していた。
【００１０】
本発明は、上記従来の課題を解決するもので、冷蔵室専用冷却器、従来ダンパを用いる事なく構成可能な業務用冷凍冷蔵庫を提供することを目的とする。
【課題を解決するための手段】
【００１１】
上記従来の課題を解決するために、本発明の冷蔵庫は冷凍サイクルの機能部品を収納した冷凍ユニットを本体上部に設け、冷凍室内に冷蔵室からの空気と冷凍室の空気を熱交換させるためのチャンバーを設け、冷蔵室にチャンバーに空気を送るための冷気導入ファンと、冷蔵室を攪拌させて冷凍室からの冷気漏れを止めるための攪拌ファンから構成されている。冷蔵室温度が高い場合、冷気導入ファンを回転させて冷蔵室空気をチャンバー内に送り込み、熱交換を行った冷気を冷蔵室に戻して冷蔵室の冷却を攪拌しながら行なう。また冷蔵室温度が低い場合、冷蔵室攪拌ファンを回転させて冷凍室からの冷気漏れを抑えると同時に室内を攪拌する。
【００１２】
これにより冷蔵室専用冷却器やバルブ、従来ダンパといった部品を用いる事無く簡素に構成可能であり、市場におけるメンテナンスや故障時の部品交換が容易である。
【００１３】
また冷蔵室に専用冷却器を持たないため、冷蔵室の温度上昇や食品の詰め込み過ぎといった冷蔵室の状況に対して冷却サイクルが大きく影響を受ける事無く冷蔵、冷凍室をバランス良く同時に冷却する事が出来る。
【００１４】
また冷蔵室に専用冷却器を持たないため庫内を攪拌するファンを冷却サイクルの運転／停止に関わらず回し続けることが出来る。
【発明の効果】
【００１５】
本発明の冷蔵庫は冷凍室に設けられたチャンバーにて冷蔵室空気の熱交換を行い、冷蔵室に設けられた冷気導入ファンにてチャンバー内の熱交換を行なった空気を冷蔵室に強制的に導入する事により冷蔵室専用冷却器やバルブ、従来ダンパといった部品を用いる事無く簡素に構成可能である。そのため市場におけるメンテナンスや故障時の部品交換が容易である。
【００１６】
また冷蔵室に専用冷却器を持たないため、冷蔵室の温度上昇や食品の詰め込み過ぎといった冷蔵室の状況に対して冷却サイクルが大きく影響を受ける事無く冷蔵、冷凍室をバランス良く同時に冷却する事が出来る。
【００１７】
また冷蔵室に専用冷却器を持たないため庫内を攪拌するファンを冷却サイクルの運転／停止に関わらず回し続けることが出来る。
【発明を実施するための最良の形態】
【００１８】
請求項１に記載の発明は、上部に冷凍室、下部に冷蔵室を有し、前記冷凍室と前記冷蔵室を区画する断熱区画壁に貫通口を備え、前記一方の貫通口には前記冷凍室内に備えた冷凍室攪拌ファンと前記冷蔵室内に備えた冷蔵室攪拌ファンとを連通するダクトＣが構成され、他方の貫通口には前記ダクトＣと連通するダクトＢを配置し、前記ダクトＢの内部に前記冷蔵室の空気を吸込む冷気導入ファンを備え、前記冷蔵室が設定温度より高い場合は、前記冷気導入ファンを回転させて冷蔵室空気を前記チャンバー内に送り込み、熱交換を行った冷気を前記冷蔵室に戻して前記冷蔵室の冷気を攪拌しながら行ない、前記冷蔵室が設定温度よりも低い場合、前記冷蔵室攪拌ファンを回転させる。
【００１９】
これにより、冷蔵室専用冷却器やバルブ、従来ダンパといった部品を用いる事無く簡素に構成可能であり、市場におけるメンテナンスや故障時の部品交換が容易である。
【００２０】
また冷蔵室に専用冷却器を持たないため、冷蔵室の温度上昇や食品の詰め込み過ぎといった冷蔵室の状況に対して冷却サイクルが大きく影響を受ける事無く冷蔵、冷凍室をバランス良く同時に冷却する事が出来る。
【００２１】
また冷蔵室に専用冷却器を持たないため庫内を攪拌するファンを冷却サイクルの運転／停止に関わらず回し続けることが出来る。
【００２２】
以下、本発明の実施の形態について、図面を参照しながら説明する。なお、この実施の形態によってこの発明が限定されるものではない。
【００２３】
（実施の形態１）
図１は、本発明の実施の形態１における冷蔵庫の構成図である。
【００２４】
図１において、本体３は２つの貫通口１４にて繋がった冷凍室１、冷蔵室２を備えており、上部に圧縮機、冷媒配管、その他冷凍サイクルの機能部品を収納した冷凍ユニット４を備えている。
【００２５】
冷凍室１は冷凍ユニット４の一部である冷却器と冷凍室攪拌ファン５と、冷凍室１空気と冷蔵室２空気の熱交換を行なうためのチャンバー８と、冷凍ユニット４で熱交換した空気の一部をチャンバー８に導くためのダクトＣ１１から構成されている。
【００２６】
冷蔵室２は冷蔵室攪拌ファン６を備えたダクトＡ７と、チャンバー８に冷蔵室２空気を送り込み冷凍室１から冷気を導く為に冷気導入ファン１０を備えたダクトＢ９と、冷蔵室２の室内温度を検知するための温度検知手段１２とから構成されている。また冷蔵室２の室内温度を設定するために設定手段１３がある。
【００２７】
以上のように構成された冷蔵庫について、以下その動作、作用を説明する。
【００２８】
通常、冷蔵室を設定温度で保持する場合、温度幅を設けて温度降下（冷却）／温度上昇（吸熱量の影響）を繰り返す。設定手段１３にて設定温度と温度幅（例えば設定温度＋ａ℃、設定温度−ｂ℃）を設定する。
【００２９】
冷凍室１は冷凍ユニット４の一部である冷却器により通常−１８℃以下まで冷却され、冷凍室攪拌ファン５により均一な温度になる様に攪拌される。
【００３０】
冷蔵室に備えられた温度検知手段１２の値が設定温度＋ａ℃以上の時、冷却するために冷蔵室攪拌ファン６を停止させて冷気導入ファン１０を運転する。冷気導入ファン１０により冷蔵室空気は貫通口１４を経てチャンバー８に送り込まれ、送り込まれた空気は冷凍室温と略同等のチャンバーと、ダクトＣ１１から送り込まれる冷凍ユニットにて熱交換された冷風と、チャンバー表面に設けられた冷凍室に過大な影響を与えない程度の通気口からの冷気により熱交換が行なわれる。チャンバー内の冷却された空気は圧力差からもう１つの貫通口１４を経て冷蔵室２に冷風となって送られて攪拌しながら冷却する事が出来る。
【００３１】
また設定温度−ｂ℃以下の時、冷却を停止するために冷気導入ファン１０を停止させて冷蔵室攪拌ファン６を動作させる。冷気導入ファン１０を停止した事により冷凍室１からの冷気導入を停止するが、冷凍室１と冷蔵室２間に貫通穴が開いているため僅かに冷気漏れが起こる。冷蔵室攪拌ファン６はダクトＡ７に備えられておりダクトＡ７には冷気導入ファン１０を備えているダクトＢ９の冷気吐出口に向かって吐出口が備えられておりダクトＢ９より冷気が漏れないようにダクトＡ７からの吐出圧力によって抑える。冷却停止時においても室内を攪拌させて温度の均一化を図る。
【００３２】
これにより冷蔵室専用冷却器やバルブ、従来ダンパといった部品を用いる事無く簡素に構成可能である。そのため市場におけるメンテナンスや故障時の部品交換が容易である。
【００３３】
また冷蔵室に専用冷却器を持たないため、冷蔵室の温度上昇や食品の詰め込み過ぎといった冷蔵室の状況に対して冷却サイクルが大きく影響を受ける事無く冷蔵、冷凍室をバランス良く同時に冷却する事が出来る。
【００３４】
また冷蔵室に専用冷却器を持たないため庫内を攪拌するファンを冷却サイクルの運転／停止に関わらず回し続けることが出来る。
【産業上の利用可能性】
【００３５】
以上のように本発明にかかる電気冷凍冷蔵庫は冷凍室に設けられたチャンバーにて冷蔵室空気の熱交換を行い、冷蔵室に設けられた冷気導入ファンにてチャンバー内の熱交換を行なった空気を冷蔵室に強制的に導入する事により冷蔵室専用冷却器やバルブ、従来ダンパといった部品を用いる事無く簡素に構成可能であるため、ショーケースや自動販売機等の用途にも適用出来る。
【図面の簡単な説明】
【００３６】
【図１】本発明の実施の形態１における冷蔵庫の構成図
【図２】従来の電気冷蔵庫の本体結露防止装置を示す図
【符号の説明】
【００３７】
１    冷凍室
２    冷蔵室
３    本体
４    冷凍ユニット
５    冷凍室攪拌ファン
６    冷蔵室攪拌ファン
７    ダクトＡ
８    チャンバー
９    ダクトＢ
１０  冷気導入ファン
１１  ダクトＣ
１２  温度検知手段
１３  設定手段
１４  貫通口
【図１】
2009210181.tif 000003
【図２】
2009210181.tif 000004